(57)【要約】【課題】無線充電方式により電気自動車を充電することができるとともに、車種及び充電効率データの違いに応じて充電板と放電板との間の距離又は／及び充電パワーを調整することにより、充電効率を調整することができる、電気自動車無線自動充電システムを提供する。【解決手段】電気自動車９は、充電板９１と、Ｂｌｕｅｔｏｏｔｈ（登録商標）装置９２と、電池９３と、充電板９１、Ｂｌｕｅｔｏｏｔｈ装置９２及び電池９３と電気的に接続された電池管理モジュール９４とを備える。電池管理モジュール９４は、充電板９１の充電効率データを検出して記録する。電気自動車無線自動充電システムは、ベース、放電板、膨張・収縮装置及び制御コンソールを備える。ベースの内部には、収容空間が設けられる。放電板は、ベースの収容空間の内側面に接続される弾性コネクターが両側にそれぞれ設けられるとともに、電源と電気的に接続される。【選択図】図２
0003220434.tif 000002
【実用新案登録請求の範囲】
【請求項１】
電気自動車を無線充電する、電気自動車無線自動充電システムであって、
前記電気自動車は、充電板と、Ｂｌｕｅｔｏｏｔｈ（登録商標）装置と、電池と、前記充電板、前記Ｂｌｕｅｔｏｏｔｈ装置及び前記電池と電気的に接続された電池管理モジュールとを備え、
前記電池管理モジュールは、前記充電板の充電効率データを検出して記録し、
前記電気自動車無線自動充電システムは、ベース、放電板、膨張・収縮装置及び制御コンソールを備え、
前記ベースの内部には、収容空間が設けられ、
前記放電板は、前記ベースの前記収容空間の内側面に接続される弾性コネクターが両側にそれぞれ設けられるとともに、電源と電気的に接続され、
前記膨張・収縮装置は、少なくとも１つのエアクッション本体と、膨張・収縮ポンプとを有し、前記エアクッション本体は、前記ベースの前記収容空間内に配設され、前記放電板は、前記エアクッション本体の表面上に配設され、前記膨張・収縮ポンプにより前記エアクッション本体に対してエアーの出し入れを行い、エアーが入れられると、前記放電板の表面高さが高くなり、エアーが出されると、前記放電板の表面高さが低くなり、
前記制御コンソールは、マイクロプロセッサ、記憶ユニット及びＢｌｕｅｔｏｏｔｈ装置を有し、
前記マイクロプロセッサは、前記膨張・収縮装置及び前記放電板と電気的に接続され、
前記記憶ユニットは、前記マイクロプロセッサと電気的に接続され、様々な種類の前記電気自動車の充電効率調整データを記憶し、
前記Ｂｌｕｅｔｏｏｔｈ装置は、前記マイクロプロセッサと電気的に接続され、充電関連情報を受信し、前記充電関連情報には、車種、充電規格及び前記充電効率データが含まれ、
前記電気自動車の前記電池管理モジュールは、Ｂｌｕｅｔｏｏｔｈ信号を介して前記電気自動車の前記充電関連情報を前記制御コンソールへ送信し、前記制御コンソールの操作により前記放電板が前記充電板に対して無線自動充電を行い、前記充電効率データ及び前記充電効率調整データに基づき、前記放電板の表面高さ又は／及び充電パワーを調整して充電効率を調整することを特徴とする、
電気自動車無線自動充電システム。
【請求項２】
ロッキング部品により前記ベースが地面にねじ止めされることを特徴とする請求項１に記載の電気自動車無線自動充電システム。
【請求項３】
前記ベースの側辺には、カバーが設けられていることを特徴とする請求項１に記載の電気自動車無線自動充電システム。
【請求項４】
前記マイクロプロセッサと電気的に接続されて音声・オーディオ信号を発生させる音声装置をさらに備え、前記音声装置は、前記電気自動車が移動されなければならない位置を知らせ、前記放電板に対応する位置まで前記電気自動車の前記充電板を移動させることを特徴とする請求項１に記載の電気自動車無線自動充電システム。
【請求項５】
前記放電板の表面には、前記マイクロプロセッサと電気的に接続された少なくとも１つの位置センサが配設されることを特徴とする請求項１に記載の電気自動車無線自動充電システム。
【考案の詳細な説明】
【技術分野】
【０００１】
本考案は、電気自動車無線自動充電システムに関し、特に、電気自動車を無線充電し、充電板と放電板との間の距離又は／及び充電パワーを調整することにより、充電効率を調整する電気自動車無線自動充電システムに関する。
【背景技術】
【０００２】
無線充電とは、ワイヤレスセンシング方式により電力を得て、電池を有する製品を充電することである。有線方式の充電と異なり、無線充電は電気接点が無いため、感電の危険性がなくて安全性が高い上、電力伝送部品を使用するときのロスが少なく、環境の影響を受けることによる劣化及び酸化を防ぐことができ、装置の耐久性を高めることができる。また、無線充電の最大の長所は、その利便性にあり、電気機器を電線で接続しなくとも、無線充電装置上又は無線充電装置近くに置くだけで充電することができる。
【０００３】
従来、無線充電を電気自動車及び電動自動二輪車に利用する場合、その大部分は電気自動車及び電動自動二輪車内に、電池と電気的に接続された充電板が配設され、充電ステーション内には、放電板が配設されている。そのため、電気自動車及び電動自動二輪車内の充電板が放電板近くにあるときに無線充電を行うが、従来の充電ステーションの大部分は電気自動車及び電動自動二輪車の種類に応じて充電効率を調整することができないため、充電時間の長さが不均一となり、充電されるまで運転手が長時間待つことは困難であった。そのため、充電効率を向上させることが求められていた。
【考案の概要】
【考案が解決しようとする課題】
【０００４】
本考案の課題は、無線充電方式により電気自動車を充電することができるとともに、車種及び充電効率データの違いに応じて充電板と放電板との間の距離又は／及び充電パワーを調整することにより、充電効率を調整することができる、電気自動車無線自動充電システムを提供することにある。
【課題を解決するための手段】
【０００５】
上記課題を解決するための本考案の第１の形態によれば、電気自動車を無線充電する、電気自動車無線自動充電システムであって、前記電気自動車は、充電板と、Ｂｌｕｅｔｏｏｔｈ（登録商標）装置と、電池と、前記充電板、前記Ｂｌｕｅｔｏｏｔｈ装置及び前記電池と電気的に接続された電池管理モジュールとを備え、前記電池管理モジュールは、前記充電板の充電効率データを検出して記録し、前記電気自動車無線自動充電システムは、ベース、放電板、膨張・収縮装置及び制御コンソールを備え、前記ベースの内部には、収容空間が設けられ、前記放電板は、前記ベースの前記収容空間の内側面に接続される弾性コネクターが両側にそれぞれ設けられるとともに、電源と電気的に接続され、前記膨張・収縮装置は、少なくとも１つのエアクッション本体と、膨張・収縮ポンプとを有し、前記エアクッション本体は、前記ベースの前記収容空間内に配設され、前記放電板は、前記エアクッション本体の表面上に配設され、前記膨張・収縮ポンプにより前記エアクッション本体に対してエアーの出し入れを行い、エアーが入れられると、前記放電板の表面高さが高くなり、エアーが出されると、前記放電板の表面高さが低くなり、前記制御コンソールは、マイクロプロセッサ、記憶ユニット及びＢｌｕｅｔｏｏｔｈ装置を有し、前記マイクロプロセッサは、前記膨張・収縮装置及び前記放電板と電気的に接続され、前記記憶ユニットは、前記マイクロプロセッサと電気的に接続され、様々な種類の前記電気自動車の充電効率調整データを記憶し、前記Ｂｌｕｅｔｏｏｔｈ装置は、前記マイクロプロセッサと電気的に接続され、充電関連情報を受信し、前記充電関連情報には、車種、充電規格及び前記充電効率データが含まれ、前記電気自動車の前記電池管理モジュールは、Ｂｌｕｅｔｏｏｔｈ信号を介して前記電気自動車の前記充電関連情報を前記制御コンソールへ送信し、前記制御コンソールの操作により前記放電板が前記充電板に対して無線自動充電を行い、前記充電効率データ及び前記充電効率調整データに基づき、前記放電板の表面高さ又は／及び充電パワーを調整して充電効率を調整することを特徴とする電気自動車無線自動充電システムが提供される。
【０００６】
ロッキング部品により前記ベースが地面にねじ止めされることが好ましい。
【０００７】
前記ベースの側辺には、カバーが設けられていることが好ましい。
【０００８】
前記マイクロプロセッサと電気的に接続されて音声・オーディオ信号を発生させる音声装置をさらに備え、前記電気自動車が移動されなければならない位置を知らせ、前記放電板に対応する位置まで前記電気自動車の前記充電板を移動させることが好ましい。
【０００９】
前記放電板の表面には、前記マイクロプロセッサと電気的に接続された少なくとも１つの位置センサが配設されることが好ましい。
【図面の簡単な説明】
【００１０】
【図１Ａ】本考案の一実施形態に係る電気自動車無線自動充電システムの充電装置を示す断面図である。
【図１Ｂ】本考案の一実施形態に係る電気自動車無線自動充電システムの膨張・収縮装置の構成を示すブロック図である。
【図１Ｃ】本考案の一実施形態に係る電気自動車無線自動充電システムの給電装置の構成を示すブロック図である。
【図１Ｄ】本考案の一実施形態に係る電気自動車無線自動充電システムの制御コンソールの構成を示すブロック図である。
【図２】本考案の一実施形態に係る電気自動車無線自動充電システムの電気自動車の構成を示すブロック図である。
【図３】本考案の一実施形態に係る電気自動車無線自動充電システムが無線充電するときの状態の説明図である。
【図４】本考案の一実施形態に係る電気自動車無線自動充電システムの充電効率と距離との関係を示すグラフである。
【考案を実施するための形態】
【００１１】
本考案の他の技術内容、特徴及び効果については、以下、図面を参照しながら好適な実施形態の詳細な説明で明らかにする。
【００１２】
図１Ａ〜図１Ｄを参照する。
図１Ａは、本考案の一実施形態に係る電気自動車無線自動充電システムの充電装置を示す断面図である。図１Ｂは、本考案の一実施形態に係る電気自動車無線自動充電システムの膨張・収縮装置の構成を示すブロック図である。図１Ｃは、本考案の一実施形態に係る電気自動車無線自動充電システムの給電装置の構成を示すブロック図である。図１Ｄは、本考案の一実施形態に係る電気自動車無線自動充電システムの制御コンソールの構成を示すブロック図である。
図１Ａ〜図１Ｄに示すように、本考案の一実施形態に係る電気自動車無線自動充電システムは、少なくともベース１、放電板３、膨張・収縮装置２及び制御コンソール８から構成されてなる。ベース１の内部には、収容空間１１が設けられ、ロッキング部品５によりベース１が地面７にねじ止めされ、ベース１の側辺に設けたカバー６によりロッキング部品５を覆う。
【００１３】
放電板３は、ベース１の収容空間１１の内側面に接続される弾性コネクター３１が両側にそれぞれ設けられるとともに、電源４と電気的に接続される。放電板３の表面には、制御コンソール８のマイクロプロセッサ８１と電気的に接続された位置センサ３２が少なくとも１つ配設されている。
【００１４】
膨張・収縮装置２は、少なくとも１つのエアクッション本体２１と、膨張・収縮ポンプ２２とを含む。エアクッション本体２１は、ベース１の収容空間１１内に配設される。放電板３は、エアクッション本体２１の表面上に配設され、膨張・収縮ポンプ２２によりエアクッション本体２１に対してエアーの出し入れを行い、エアーが入れられると、放電板３の表面高さが高くなり、エアーが出されると、放電板３の表面高さが低くなる。
【００１５】
制御コンソール８は、マイクロプロセッサ８１、記憶ユニット８２、Ｂｌｕｅｔｏｏｔｈ（登録商標）装置８３及び音声装置８４を含む。マイクロプロセッサ８１は、制御コンソール８の駆動を制御する。記憶ユニット８２は、様々な種類の電気自動車の充電効率調整データを記憶する。
【００１６】
「Ｂｌｕｅｔｏｏｔｈ」装置８３は、充電関連情報を受信する。この充電関連情報には、車種、充電規格及び充電効率データが含まれる。音声装置８４は、音声・オーディオ信号を発生させ、電気自動車が移動されなければならない位置を知らせ、無線充電装置の放電板３に対応する位置まで電気自動車を移動させる。
【００１７】
図２を参照する。
図２に示すように、電気自動車９は、充電板９１と、「Ｂｌｕｅｔｏｏｔｈ」装置９２と、電池９３と、充電板９１、「Ｂｌｕｅｔｏｏｔｈ」装置９２及び電池９３と電気的に接続された電池管理モジュール９４とを含む。電池管理モジュール９４は、充電板９１の充電効率データを検出して記録する。「Ｂｌｕｅｔｏｏｔｈ」装置９２は、電気自動車９の充電関連情報を制御コンソール８へ送信する。この充電関連情報には、車種、充電規格及び充電効率データが含まれる。
【００１８】
本実施形態では、無線充電を実際に行う際、自動車を電気自動車９として用いる（図３を参照する）。電気自動車９が前方へ移動することができ、放電板３の表面に少なくとも１つの位置センサ３２が設けられるため、電気自動車９が位置センサ３２により検出可能な位置まで移動すると、電気自動車９の「Ｂｌｕｅｔｏｏｔｈ」装置９２が電気自動車９の充電関連情報を制御コンソール８へ送信し、制御コンソール８により操作して放電板３が充電板９１に対して無線自動充電する。
【００１９】
電気自動車９の「Ｂｌｕｅｔｏｏｔｈ」装置９２は、充電効率データを制御コンソール８へ戻す。制御コンソール８は、充電効率データ及び充電効率調整データに基づき、放電板３の表面高さを変えるか、充電パワーを変えて充電効率を調整する。図４に示すように、放電板３と充電板９１との間の距離を１５ｍｍに調整すると、充電効率が９０％に達する。
【００２０】
上述したことから分かるように、本考案の電気自動車無線自動充電システムは、従来技術と比べて以下（１）及び（２）の長所を有する。
（１）無線充電方式により電気自動車を充電することができるとともに、車種及び充電効率データの違いに応じて充電板と放電板との間の距離を調整することにより、充電効率を調整することができる。
（２）実際に充電する際、システム業者は、車両情報を得て、付加価値情報を自動車の所有者に提供するとともに、運転履歴を自動車メーカーへフィードバックし、車両を最適な状態に維持し、消費者の満足度を高めることができる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  ベース
２  膨張・収縮装置
３  放電板
４  電源
５  ロッキング部品
６  カバー
７  地面
８  制御コンソール
９  電気自動車
１１  収容空間
２１  エアクッション本体
２２  膨張・収縮ポンプ
３１  弾性コネクター
３２  位置センサ
８１  マイクロプロセッサ
８２  記憶ユニット
８３  Ｂｌｕｅｔｏｏｔｈ装置
８４  音声装置
９１  充電板
９２  Ｂｌｕｅｔｏｏｔｈ装置
９３  電池
９４  電池管理モジュール
【図１Ａ】
0003220434.tif 000003
【図１Ｂ】
0003220434.tif 000004
【図１Ｃ】
0003220434.tif 000005
【図１Ｄ】
0003220434.tif 000006
【図２】
0003220434.tif 000007
【図３】
0003220434.tif 000008
【図４】
0003220434.tif 000009